(57)【特許請求の範囲】
【請求項１】
水槽に使用される死滅装置であって、
第１導電性メッシュと、
第２導電性メッシュと、
前記第１導電性メッシュと前記第２導電性メッシュとの間に位置して、前記第１導電性メッシュと前記第２導電性メッシュとを絶縁させるスペーサと
を備え、
前記第１導電性メッシュを支持する第１ケースと、
前記第２導電性メッシュを支持する第２ケースとをさらに備え、
前記第１ケース、前記第１導電性メッシュ、前記スペーサ、前記第２導電性メッシュ、及び前記第２ケースの順に結合され、
リング状を有し、円周方向に沿って第１領域及び第２領域から構成された連結部をさらに備え、
前記第１領域より前記第２領域の高さが高く、前記連結部の外縁部には、上部と下部とを区分するガイドラインが形成されており、
前記第１ケースは、リング状を有した第１本体と、前記第１本体の内縁部に位置して前記第１導電性メッシュを支持する第１支持台と、前記第１本体に円周方向に形成された第１凹部とを備え、
前記第２ケースは、リング状を有する第２本体と、前記第２本体の内縁部に位置して前記第２導電性メッシュを支持する第２支持台と、前記第２本体の円周方向に形成された第２凹部とを備え、
前記連結部の上部は、前記第１凹部に挿入して結合され、前記連結部の下部は、前記第２凹部に挿入して結合されることを特徴とする死滅装置。
【請求項２】
前記第１導電性メッシュと前記第２導電性メッシュとは、それぞれチタニウムからなり、表面に白金族元素でコートされたことを特徴とする請求項１に記載の死滅装置。
【請求項３】
前記スペーサは、
閉曲線を形成するリングと、
前記リングの閉曲線上の一部と前記リングの閉曲線上の他の一部とを連結させるスティックと
を備えることを特徴とする請求項１または２に記載の死滅装置。
【請求項４】
前記第１導電性メッシュと前記第２導電性メッシュには、それぞれ突出部が形成されており、
前記第２ケースは、前記第１導電性メッシュの突出部が位置する第１注入領域と、前記第２導電性メッシュの突出部が位置する第２注入領域とをさらに備え、
前記第１注入領域と前記第２注入領域には、それぞれ防水液が注入されることを特徴とする請求項１乃至３のいずれか１項に記載の死滅装置。
【請求項５】
前記水槽に吸着できる一対の吸着部をさらに備え、
前記一対の吸着部は、前記第１ケース又は前記第２ケースに支持台を介して連結されたことを特徴とする請求項１乃至４のいずれか１項に記載の死滅装置。
【発明の詳細な説明】
【技術分野】
【０００１】
本発明は、水槽内の緑藻発生抑制及び病原菌を死滅するための死滅装置に関する。
【背景技術】
【０００２】
現在の水槽は、単純に魚類を育てることだけなく、水槽内に自然生態系をありのまま具現化する方向に発展しつつある。例えば、水槽内に多様な形態と種類の水草を岩石と共に配置して実際の自然生態系に類似するように飾り、水草を安定して成長させるために光、二酸化炭素、窒素、及び／又はリンを供給するようになる。
【０００３】
一方、水槽では、営養分の過剰による緑藻類の発生が頻繁で、このような緑藻類の除去は、愛好家に相当な不便を招いている。
【発明の概要】
【発明が解決しようとする課題】
【０００４】
本発明の一実施形態によれば、水槽での緑藻類の発生防止及び減少と、魚病防止、及び水草の成長を促進できる死滅装置が提供されることができる。
【課題の解決手段】
【０００５】
本発明の一例示的な実施形態によれば、水槽に使用される死滅装置であって、第１導電性メッシュと、第２導電性メッシュと、第１導電性メッシュと第２導電性メッシュとの間に位置して、第１導電性メッシュと第２導電性メッシュとを絶縁させるスペーサとを備えることを特徴とする死滅装置が提供される。
【０００６】
第１導電性メッシュと第２導電性メッシュとは、それぞれチタニウムからなり、表面に白金族元素でコートされたことである。
【０００７】
前記スペーサは、閉曲線を形成するリングと、前記リングの閉曲線上の一部と前記リングの閉曲線上の他の一部とを連結させるスティックとを備える。
【０００８】
本死滅装置は、第１導電性メッシュを支持する第１ケースと、第２導電性メッシュを支持する第２ケースとをさらに備え、第１ケース、第１導電性メッシュ、前記スペーサ、第２導電性メッシュ、及び第２ケースの順に結合される。
【０００９】
リング状を有し、円周方向に沿って第１領域及び第２領域から構成された連結部をさらに備え、第１領域より第２領域の高さが高く、前記連結部の外縁部には、上部と下部とを区分するガイドラインが形成されており、第１ケースは、リング状を有した第１本体と、第１本体の内縁部に位置して第１導電性メッシュを支持する第１支持台と、第１本体に円周方向に形成された第１凹部とを備え、第２ケースは、リング状を有する第２本体と、第２本体の内縁部に位置して第２導電性メッシュを支持する第２支持台と、第２本体の円周方向に形成された第２凹部とを備え、前記連結部の上部は、第１凹部に挿入して結合され、前記連結部の下部は、第２凹部に挿入して結合される。
【００１０】
第１導電性メッシュと第２導電性メッシュには、それぞれ突出部が形成されており、第２ケースは、第１導電性メッシュの突出部が位置する第１注入領域と第２導電性メッシュの突出部が位置する第２注入領域とをさらに備え、第１注入領域と第２注入領域には、それぞれ防水液が注入される。
【００１１】
本死滅装置は、前記水槽に吸着できる一対の吸着部をさらに備え、前記一対の吸着部は、前記第１ケース又は前記第２ケースに支持台を介して連結される。
【発明の効果】
【００１２】
本発明の一つ以上の実施形態によれば、水槽での緑藻類発生防止及び減少と、魚病防止、及び水草の成長促進という効果が発揮できる。
【図面の簡単な説明】
【００１３】
【図１】本発明の例示的な実施形態に係る死滅装置を使用した水槽のブロック図である。
【図２】本発明の例示的な実施形態に係る死滅装置の斜視図である。
【図３】本発明の例示的な実施形態に係る死滅装置の分解斜視図である。
【図４】本発明の例示的な実施形態に係る死滅装置の下部ケースを説明するための図である。
【図５】本発明の例示的な実施形態に係る死滅装置の上部ケースを説明するための図である。
【図６】本発明の例示的な実施形態に係る死滅装置の連結部を説明するための図である。
【図７】本発明の他の例示的な実施形態に係る死滅装置を説明するための図である。
【図８】本発明の他の例示的な実施形態に係る死滅装置を説明するための図である。
【図９】本発明の他の例示的な実施形態に係る死滅装置を説明するための図である。
【図１０】本発明の他の例示的な実施形態に係る死滅装置を説明するための図である。
【図１１】本発明の他の例示的な実施形態に係る死滅装置を説明するための図である。
【図１２】本発明の例示的な実施形態に係る死滅装置の効果を説明するための図である。
【図１３】本発明の例示的な実施形態に係る死滅装置の効果を説明するための図である。
【図１４】本発明の例示的な実施形態に係る死滅装置の効果を説明するための図である。
【発明を実施するための形態】
【００１４】
本明細書で使用された用語は、実施形態を説明するためのものであって、本発明を限定するものではない。本明細書において、単数形は、特に言及しない限り、複数形も含む。明細書で使用される「含む」と言及された構成要素は、一つ以上の他の構成要素の存在又は追加を排除しない。
【００１５】
以下、図面を参照して本発明を詳細に説明する。以下の特定の実施形態を述べるにおいて、様々に特定された内容は、発明をさらに具体的に説明し、理解を助けるために作成された。しかしながら、本発明を理解することができる程度のこの分野における知識を有した読者は、このような様々に特定された内容がなくても、本発明が実施可能であることを認知できる。ある場合には、周知で発明と大きく関連のない技術的内容は、本発明を説明するにあたって、特別な理由なしでも、読者の混乱を引き起こさないようにあえて述べないこともあることを予め言及しておく。
【００１６】
図１は、本発明の例示的な実施形態に係る水槽内の緑藻発生抑制及び病原菌を死滅するための死滅装置を使用した水槽である。
【００１７】
図１に示すように、本発明の例示的な実施形態に係る死滅装置を使用した水槽１１３は、水１１５を収容し、死滅装置１１１と照明装置１１７とを備えることができる。
【００１８】
本発明の例示的な実施形態によれば、死滅装置は、水槽内に緑藻類の発生を防止したり発生を緩和させることができ、魚病の発生を緩和させることができる。
【００１９】
死滅装置１１１は、コントローラによってオン／オフ制御され、電源の供給を受ける。コントローラは、既設定の周期に従って死滅装置１１１をオン又はオフさせ、死滅装置１１１に電力を供給することができる。
【００２０】
本発明の一実施形態にかかるコントローラは、死滅装置１１１に電圧を印加する時に（＋）と（−）を交互に印加できる。
【００２１】
死滅装置１１１は、次の２通りの作用により殺菌動作を行うものと推測される。
【００２２】
第１は、直接的作用であって、菌などの微生物に電圧を印加することによって、細胞膜内外の電位差によって細胞膜を破壊させることである。
【００２３】
第２は、間接的作用であって、死滅装置がラジカル基を生成して、これらのラジカル基によって殺菌効果が発生することである。
【００２４】
また、死滅装置は、追加的に水槽で育つ水草の発育成長に役に立つことができる。すなわち、死滅装置により、水中にＣａ＋２、Ｋ＋、Ｍｇ＋２、Ｆｅ＋２、Ｚｎ＋２、及び／又はＮａ＋などのような陽イオンがアクティブになり、これらのイオンが水草の発育に寄与するようになる。
【００２５】
照明装置は、コントローラにより水槽に光を提供できる。
【００２６】
図２は、本発明の例示的な実施形態に係る死滅装置の斜視図で、図３は、本発明の例示的な実施形態に係る死滅装置の分解斜視図で、図４は、本発明の例示的な実施形態に係る死滅装置の下部ケースを説明するための図で、図５は、本発明の例示的な実施形態に係る死滅装置の上部ケースを説明するための図で、図６は、本発明の例示的な実施形態に係る死滅装置の連結部を説明するための図である。以下、これらの図面を共に参照して、本発明の例示的な実施形態に係る死滅装置（以下、死滅装置とする）を説明するようにする。
【００２７】
死滅装置１１１は、上部ケース１０、連結部２０、第１導電性メッシュ３０、スペーサ４０、第２導電性メッシュ５０、及び下部ケース６０を備えることができる。
【００２８】
本実施形態によれば、上部ケース１０、連結部２０、第１導電性メッシュ３０、スペーサ、第２導電性メッシュ５０、及び下部ケース６０が順次に結合される。
【００２９】
上部ケース１０は、第１本体18及び第１支持台１１を備えることができる。第１本体18は、リング状を有し、内縁部１５と外縁部１７とを備える。第１支持台１１は、第１本体18の内縁部１５に位置するものの、内縁部１５の一位置から内縁部１５の他の位置に架けられるように位置することによって、第１導電性メッシュ３０を支持する機能を有することができる。
【００３０】
本実施形態において、第１支持台１１は、くし状に内縁部１５に複数設けられれることができる。
【００３１】
上部ケース１０は、ホール１３をさらに備えると良く、このようなホール１３は、死滅装置１１１の製造を容易にするために必要なものである。図５から分かるように、上部ケース１０は、凹部１９をさらに備えるとよい。このような凹部１９は、連結部２０と結合される。
【００３２】
連結部２０は、内縁部２５と外縁部２７とを有するリング状であり、円周方向に沿って第１領域Ｒ１及び第２領域Ｒ２から構成される。ここで、第１領域Ｒ１の高さと第２領域Ｒ２の高さとは異なり、第２領域Ｒ２が高さがより低い。
【００３３】
一方、第１領域Ｒ１は、後述する第１注入領域６３と第２注入領域６５と隣接して位置する。
【００３４】
連結部２０の外縁部２７には、連結部２０の上部２７ａと下部２７ｂとを区分するガイドライン２２がさらに形成されると良い。ここで、連結部２０の上部２７ａは、上述した上部ケース１０の凹部１９に挿入して結合され、連結部２０の下部２７ｂは、後述する下部ケース６０の凹部６９に挿入して結合される。
【００３５】
第１導電性メッシュ３０と第２導電性メッシュ５０とは、それぞれ、チタンから構成されるとよく、それぞれの表面に白金族元素でコートされると良い。第１導電性メッシュ３０と第２導電性メッシュ５０は、それぞれ突出部３１、４１を備え、それぞれの突出部３１、４１は、後述する第１注入領域６３と第２注入領域６５に位置するようになる。
【００３６】
一実施形態によれば、第１導電性メッシュ３０でのメッシュのサイズが、第２導電性メッシュ５０でのメッシュのサイズと互いに異なるように構成される。本発明の死滅装置が設置される方向に応じて、第１導電性メッシュ３０のメッシュサイズと第２導電性メッシュ５０のメッシュサイズとが異なってもよく、例えば地面から遠くある導電性メッシュのサイズがさらに大きくなるよう構成される。すなわち、第１導電性メッシュ３０が第２導電性メッシュ５０より地面からより遠く離れるように死滅装置が設置される場合には、第１導電性メッシュ３０のメッシュサイズが第２導電性メッシュ５０のメッシュサイズよりさらに大きくなるよう構成される。これは、本発明の死滅装置から発生する気泡がメッシュ３０から容易に抜け出すようにするためである。
【００３７】
コントローラは、第１導電性メッシュ３０と第２導電性メッシュ５０の電圧の極性が交互に変わるように、第１導電性メッシュ３０と第２導電性メッシュ５０に電圧を印加する。
【００３８】
スペーサ４０は、第１導電性メッシュ３０と第２導電性メッシュ５０との間に位置して、第１導電性メッシュ３０と第２導電性メッシュ５０とを絶縁させることができる。
【００３９】
スペーサ４０は、ある程度厚さを有することによって、第１導電性メッシュ３０と第２導電性メッシュ５０との間に電流が流れないようにする。また、スペーサ４０は、第１導電性メッシュ３０と第２導電性メッシュ５０とを支持するために、リング４１とスティック４３とを備える。ここで、スティック４３は複数設けられ、前記リング４１の閉曲線上の一部と前記リング４１の閉曲線上の他の一部とを連結させるように構成される。スペーサ４０は、第１導電性メッシュ３０と第２導電性メッシュ５０とを支持するだけでなく、第１導電性メッシュ３０と第２導電性メッシュ５０との間の間隔を均一に維持するために備えられる。これにより、第１導電性メッシュ３０と第２導電性メッシュ５０の中央部分も一定の間隔を維持するようになる。
【００４０】
下部ケース６０は、第２本体６８及び第２支持台６１を備えるとよい。第２本体６８は、リング状を有し、内縁部６５と外縁部６７とを備える。第２支持台６１は、第２本体の内縁部６５に位置するものの、内縁部６５の一位置から内縁部６５の他の位置に架けられるように位置することによって、第２導電性メッシュ５０を支持する機能を有することができる。
【００４１】
本実施形態において、第２支持台６１は、くし状に内縁部６５に複数設けられることができる。
【００４２】
下部ケース６０は、第１注入領域６３と第２注入領域６５とをさらに備えるとよい。第１注入領域６３と第２注入領域６５とは、隔壁６４によって区分され、第１注入領域６３と第２注入領域６５とには、それぞれホールが位置する。
【００４３】
第１注入領域６３には、後述する第２導電性メッシュ５０の突出部４１が位置し、第２注入領域６５には、後述する第１導電性メッシュ３０の突出部３１が位置する。この状態で、第１導電性メッシュ３０の突出部３１は、（＋）電線又は（−）電線と接続され、第２導電性メッシュ５０の突出部４１は、残りの電線と接続される。
【００４４】
以後、第１注入領域６３と第２注入領域６５とのそれぞれに防水液が注入され、電線のイオン化及び腐食が防止できる。防水液は、例えば、シリコン系であるとよく、シリコン系に限定されるものではない。
【００４５】
一方、本発明の説明の目的のために、本願明細書における「本体」という用語は、上述の第１本体と第２本体とを通称するものとして使用し、また、「注入部」という用語は、上述した第１注入領域、第２注入領域、及び隔壁を通称するものとして使用する。
【００４６】
図７及び図８は、本発明の他の例示的な実施形態に係る死滅装置を説明するための図である。
【００４７】
図７と図８を参照して、本死滅装置を説明すれば、一対の吸着部１７１及び吸着部１７１を支持する支持部１７３を備えている。図２の実施形態と比較すると、図７の実施形態は、一対の吸着部１７１と支持部１７３とをさらに備えるという面で差があり、図７の実施形態の他の構成要素は、類似の図面番号を有した図２の実施形態の構成要素とその機能が同一又は似ているので、説明を省略する。
【００４８】
図７の実施形態は、一対の吸着部１７１を備えることによって、水槽の隅部分に安定して位置できる。特に、四角形状の水槽の隅部分に吸着部１７１が吸着されることによって、死滅装置が安定して位置する。
【００４９】
支持部１７３は、吸着部１７１と死滅装置とを連結し、支持部１７３は、上部ケース１１０、又は下部ケースのどこにも位置してもよい。
【００５０】
図９及び図１０は、本発明の他の例示的な実施形態に係る死滅装置を説明するための図である。
【００５１】
これらの図面を参照すれば、図９の実施形態は、図２の実施形態とは異なり、導電性メッシュ２３０（他の実施形態と異なって斜線では示していない）が位置した本体２８０と注入部２１８、２６８とが所定の角度θをなしている。図９の実施形態の他の構成要素は、類似の図面番号を有した図２の実施形態の構成要素とその機能が同一又は似ているので、その説明を省略する。
【００５２】
一方、ここで「注入部」は、図２の実施形態で言及したとおりに注入領域と隔壁とを有した部分を通称するものであって、図１１の実施形態においても同じ意味として使用される。
【００５３】
図１１は、本発明の他の例示的な実施形態に係る死滅装置を説明するための図である。
【００５４】
図１１に示すように、図１１の実施形態は、図２の実施形態と比較するとき、導電性メッシュ３３０（他の実施形態と異なって斜線では示していない）が位置した本体３８０と注入部３１８、３６８とが所定の角度θをなしており、一対の吸着部３７７と支持部３７３とをさらに備えるという面で差がある。
【００５５】
図１１の実施形態の他の構成要素は、類似の図面番号を有した図２の実施形態の構成要素とその機能が同一又は似ているので、その説明を省略する。
【００５６】
図１１の実施形態は、一対の吸着部３７１を備えることによって、水槽の隅部分に安定して位置できる。特に、四角形状の水槽の隅部分に一対の吸着部３７１が吸着されることによって、死滅装置が安定して位置する。四角形状の水槽に図１１の実施形態が使用される時には、一対の吸着部３７１は互いに垂直に位置するとよい。
【００５７】
図１２は、本発明の例示的な実施形態に係る死滅装置における水草の成長を促す効果を説明するための図である。
【００５８】
図１２における（Ａ）は、本発明の例示的な実施形態に係る死滅装置が採用されない場合における水草を示した写真であり、（Ｂ）は、本発明の例示的な実施形態に係る死滅装置が採用された場合における水草を示した写真である。図１２のＡ及びＢの写真は、すべて水槽をセットした後に約３１日過ぎた後に現れた結果を撮ったものである。
【００５９】
図から分かるように、本発明の例示的な実施形態に係る死滅装置がない場合より、死滅装置がある場合に水草がよりよく育つのが分かる。
【００６０】
図１３は、本発明の例示的な実施形態に係る死滅装置の緑藻類発生防止及び抑制効果を説明するための図である。
【００６１】
図１３における（Ａ）は、本発明の例示的な実施形態に係る死滅装置が採用されない場合における水槽を撮った写真で、（Ｂ）は、本発明の例示的な実施形態に係る死滅装置が採用された場合における水槽を撮った写真である。図１３のＡ及びＢの写真は、すべて水槽をセットした後約２１日過ぎた後に現れた結果を撮ったものである。
【００６２】
図から分かるように、本発明の例示的な実施形態に係る死滅装置が水槽に設置された場合に、緑藻類の発生防止及び抑制効果が著しいことが分かる。
【００６３】
図１４は、本発明の例示的な実施形態に係る死滅装置による魚病発生抑制効果を説明するための図である。
【００６４】
本発明の例示的な実施形態に係る死滅装置が設置された水槽と、本発明の例示的な実施形態に係る死滅装置が設置されない水槽のそれぞれに対して、松笠病の原因菌（Ａｅｒｏｍｏｎａｓ  ｈｙｄｒｏｐｈｉｌａ）と黄色ブドウ球菌（Ｓｔａｐｈｙｌｏｃｏｃｃｕｓａｕｒｅｕｓ）をそれぞれ投入した後に実験結果をグラフ（Ａ）で示し、また定量的に（Ｂ）に示した。
【００６５】
これらの実験結果から分かるように、本発明の例示的な実施形態に係る死滅装置が設置された水槽では、３０日経過時に殺菌効率が１００％で、対照区は、２９％内外で大きな変化がなかった。
【００６６】
以上、本発明は、限定された実施形態と図面により説明されたが、本発明は、上記の実施形態に限定されるものではなく、本発明が属する分野における通常の知識を有した者であればこのような記載から多様な修正及び変形が可能である。したがって、本発明の範囲は、説明された実施形態に限定されてはならず、後述する特許請求の範囲だけでなく、この特許請求の範囲と均等なものによって定められねばならない。
【符号の説明】
【００６７】
１１１      死滅装置
１１３      水槽
１１５      水
１１７      照明装置
１０      上部ケース
２０      連結部
３０      第１導電性メッシュ
４０      スペーサ
５０      第２導電性メッシュ
６０      下部ケース
【図１】
0005591904.tif 000002
【図２】
0005591904.tif 000003
【図３】
0005591904.tif 000004
【図４】
0005591904.tif 000005
【図５】
0005591904.tif 000006
【図６】
0005591904.tif 000007
【図７】
0005591904.tif 000008
【図８】
0005591904.tif 000009
【図９】
0005591904.tif 000010
【図１０】
0005591904.tif 000011
【図１１】
0005591904.tif 000012
【図１２】
0005591904.tif 000013
【図１３】
0005591904.tif 000014
【図１４】
0005591904.tif 000015